(57)【要約】【課題】開閉機構に簡単な部品を追加することで、主回路接点の溶着時にハンドルのＯＦＦ位置への移動を阻止するアイソレーション機能を付加する。【解決手段】回路しゃ断器の開閉機構８が、ハンドル９に連結した開閉レバー１１、トグルリンク機構１５、過電流に応動する引外し機構１６、および操作スプリング１７との組立体からなるものにおいて、固定接触子４，可動接触子５の接点が溶着した状態でハンドルがＯＦＦ位置へ移動するのを阻止する手段として、トグルリンク機構１５と開閉レバー１１との間をインターロックしてハンドル９の移動範囲を規制するアョソレーション手段として、“へ”の字状の異形スリット１９ａ，ストッパアーム１９ｂを形成したロック板１９を、枢軸２０を介して組立枠１８に組付けた上で、前記の異形スリットに開閉レバーの凸部１１ａを嵌入し、ストッパアームをリンク軸１４の背後に対峙させる。【選択図】　　　図１
2004119183.tif 000002
【特許請求の範囲】
【請求項１】
可動接触子，固定接触子，　開閉機構，　開閉操作ハンドル，　および過電流引外し装置を装備した回路しゃ断器であり、前記開閉機構が、ハンドルに連結した開閉レバーと、上リンクと下リンクを組合せて可動接触子に連結したトグルリンク機構と、過電流に応動してトグルリンク機構を作動させる引外し機構と、および開閉レバーとトグルリンク機構との間に架け渡した操作スプリングとの組立体からなり、ハンドルのＯＮ，ＯＦＦ操作により主回路接点を開閉するものにおいて、
主回路接点が溶着した状態でハンドルがＯＦＦ位置へ移動するのを阻止する手段として、前記トグルリンク機構と開閉レバーとの間をインターロックし、トグルリンク機構の動作位置に対応して開閉レバーの移動範囲を規制するロック部材を開閉機構に組付け、主回路接点の溶着状態では前記ロック部材が開閉レバーの動きを拘束してハンドルのＯＦＦ位置への移動を阻止することを特徴とする回路しゃ断器。
【請求項２】
請求項１に記載の回路しゃ断器において、ロック部材が、板面に開閉レバーの移動範囲を規制する異形スリット，およびストッパアームを形成したロック板であり、該ロック板の後端を開閉機構の組立枠に枢支した上で、前記の異形スリットを開閉レバーの凸部に嵌合し、ストッパアームをトグルリンク機構の上リンクと下リンクを連結するリンク軸の背後に対峙させて配置したことを特徴とする回路しゃ断器。
【発明の詳細な説明】
【０００１】
【発明の属する技術分野】
本発明は、低電圧回路に適用する配線用しゃ断器，漏電しゃ断器などを対象とした回路しゃ断器に関し、詳しくは異常電流により主回路接点が溶着した状態で操作ハンドルがＯＦＦ位置に移動するのを阻止するようにしたアイソレーション機能を備えた開閉機構に係わる。
【０００２】
【従来の技術】
まず、頭記した配線用しゃ断器を例に、本発明の実施対象となる回路しゃ断器の構成を図５に示す。図において、１は回路しゃ断器のケース（モールドケース）、２は電源側の主回路端子、３は負荷側の主回路端子、４は固定接触子、５は可動接触子、６は消弧装置、７は可動接触子５の接触子ホルダ、８は開閉機構、９は開閉操作ハンドル、１０はバイメタル式の過電流引外し装置である。
【０００３】
また、前記の開閉機構８は、ハンドル９に連結した揺動式の開閉レバー１１と、上リンク１２と下リンク１３の間をリンク軸１４で結合した上で、可動接触子５と後記のラッチ（トリップレバー）との間にまたがって連繋したトグルリンク機構１５と、レバー形のラッチ１６ａとラッチ受１６ｂを組合せ、過電流引外し装置１０の動作に応動してラッチ１６ａを釈放させる引外し機構１６と、開閉レバー１１とトグルリンク機構のリンク軸１４との間に張架した操作スプリング（引っ張りコイルばね）１７を開閉機構の組立枠（サイドプレート）１８に組付けた構成になる。
【０００４】
上記回路しゃ断器の開閉動作は周知の通りであり、図示の投入（ＯＮ）状態からハンドル５をＯＦＦ位置に移動操作すると、トグルリンク機構１５の上リンク１２と下リンク１３が操作スプリング１７のばね力を受けて“く”字状に折れ、これに連動して可動接触子５が開極する。
また、通電中に過電流が流れて過電流引外し装置１０が動作すると、その出力により引外し機構１６が作動してラッチ受１６ｂに係止されていたラッチ１６ａを釈放する。これにより、ラッチ１６ａが反時計方向に回動し、開閉機構８がトリップ動作して可動接触子５が開極し、電流をしゃ断する。なお、このトリップ動作により、ハンドル９は開閉レバー１１と共にＯＮ位置とＯＦＦ位置の中間位置に移動してトリップ動作を表示する。また、トリップ動作後に回路しゃ断器を再投入するには、ハンドル９を一端ＯＦＦ位置に移して引外し機構１６をリセットした上で、ＯＮ位置に移動すると可動接触子５が投入される。
【０００５】
ところで、前記回路しゃ断器において、主回路接触子を投入した通電状態で、主回路に流れた異常電流で固定接点と可動接点が溶着する事態が万一発生すると、過電流引外し装置１０が正常に動作しても可動接触子５は開極せず、主回路接点が接触したままとなる。なお、この状態ではハンドル９がＯＮ位置に停止している。
【０００６】
しかも、前記した開閉機構の構造では、主回路接点が溶着した状態でもＯＮ位置に停止しているハンドル９に通常よりも大きな力を加えることにより、操作スプリング１７を伸長させてＯＦＦ位置に移動，停止させることが可能である。このために、接点溶着が発生した異常事態を知らずに保守員がハンドルをＯＦＦ位置に移動し、これでしゃ断器が断路したと誤認して負荷側回路で点検，修理を行うと、活線に触れて感電する危険がある。
【０００７】
そこで、このような感電事故を防止するために、通電中に接点が溶着した場合にはハンドルをＯＦＦ位置に移動できないようにする機能（これを「アイソレーション機能」と言う）を回路しゃ断器に持たせ、その手段として前記開閉機構の開閉レバーとトグルリンク機構の連結節周辺との相互間に係合あるいは衝合する阻止部材を設けた構成が知られている。（例えば、特許文献１参照）。
【０００８】
【特許文献１】
特公平１−３６６５２号公報
【０００９】
【発明が解決しようとする課題】
ところで、前記した特許文献１に開示されている構成では、設計，製作の面で次に述べるような問題点がある。
すなわち、接点溶着が生じた場合にハンドルのＯＦＦ位置への移動を阻止する手段として、特許文献１の構成では、トグルリンク機構のリンク軸と、該リンク軸に対向して開閉レバーに形成した切欠部，あるいは開閉レバーの側縁に形成した折り曲げ係合部とで阻止部材を構成し、接点の溶着状態では開閉レバーに形成した切欠部，折り曲げ係合部とトグルリンク機構のリンク軸とが係合あるいは衝合して操作ハンドルをＯＦＦ位置に移動できないようにしている。
【００１０】
しかしながら、上記構成のように開閉レバーに形成した切欠部，折り曲げ係合部をトグルリンク機構のリンク軸に直接係合，衝合させるには、前記切欠部，折り曲げ係合部の形状，リンク軸の位置など設計上での制約が多く、また組立精度，誤差などの影響も受け易いといった問題がある。
本発明は上記の点に鑑みなされたものであり、開閉機構に簡単な部品を追加装備することで、設計上の制約，組立精度の影響を殆ど受けることなく、接点溶着時にハンドルをＯＦＦ位置に移動できないようにするアイソレーション機能付きの回路しゃ断器を提供することを目的とする。
【００１１】
【課題を解決するための手段】
上記目的を達成るために、本発明によれば、可動接触子，固定接触子，　開閉機構，　開閉操作ハンドル，　および過電流引外し装置を装備した回路しゃ断器であり、前記開閉機構が、ハンドルに連結した開閉レバーと、上リンクと下リンクを組合せて可動接触子に連結したトグルリンク機構と、過電流に応動してトグルリンク機構を作動させる引外し機構と、および開閉レバーとトグルリンク機構との間に架け渡した操作スプリングとの組立体からなり、ハンドルのＯＮ，ＯＦＦ操作により主回路接点を開閉するものにおいて、
主回路接点が溶着した状態でハンドルがＯＦＦ位置へ移動するのを阻止する手段として、前記トグルリンク機構と開閉レバーとの間をインターロックし、トグルリンク機構の動作位置に対応して開閉レバーの移動範囲を規制するロック部材を開閉機構に組付け、主回路接点の溶着状態では前記ロック部材が開閉レバーの動きを拘束してハンドルのＯＦＦ位置への移動を阻止するように構成する（請求項１）ものとし、その具体的な態様として、前記ロック部材を、板面に開閉レバーの移動範囲を規制する異形スリット，およびストッパアームを形成したロック板となし、該ロック板の後端を開閉機構の組立枠に枢支した上で、前記の異形スリットを開閉レバーの凸部に嵌合し、ストッパアームをトグルリンク機構の上リンクと下リンクを連結するリンク軸の背後に対峙させるように配置する（請求項２）。
【００１２】
上記の構成において、主回路接点が溶着してない定常状態で、ハンドル操作により回路しゃ断器をＯＦＦすると、その操作過程でトグルリンク機構のリンク軸はロック板のストッパアームから離間し、ロック板はトグルリンク機構のリンク軸の干渉なしに自由に揺動可能となる。これにより、ハンドルに連結した開閉レバーはロック板に拘束されることなく、ハンドルと一緒にＯＦＦ位置に移動して可動接触子を開極できる。
【００１３】
これに対して異常電流により接点溶着が生じた状態では、可動接触子に連繋したトグルリンク機構がＯＮ位置に停止したまま動き得ないために、ロック板はそのストッパアームがトグルリンク機構のリンク軸に当たって回動できなくなる。したがって、この状態でハンドルをＯＦＦ位置に移動操作しようとしても、開閉レバーに設けた凸部がロック板の板面に形成した異形スリット（“へ”の字状に屈曲している）の経路途中で制止され、その結果としてハンドルがＯＦＦ位置に移動するのを阻止する。
【００１４】
しかも、開閉レバーとトグルリンク機構との間を別部品のロック板を介してインターロックするようにしたので、特許文献１のように開閉レバーとトグルリンク機構との直接係合あるいは衝合させるようにした構成と比べて、構造上の制約も少なくて設計の自由度が増す。また、動作，機能面でも組立精度，誤差の影響は殆どなく、これにより確実なアイソレーション機能を確保できる。
【００１５】
【発明の実施の形態】
以下、本発明の実施の形態を図１ないし図４に示す実施例に基づいて説明する。なお、実施例の図中で図５に対応する部材には同じ符号を付してその説明は省略する。
図示実施例において、開閉機構８の基本構造は図５と同様であるが、開閉レバー１１とトグルリンク機構１２との間をインターロックして開閉レバー１１の移動範囲を規制するロック部材として、独立部品になるロック板１９が新たに追加装備されている。
【００１６】
このロック板１９は、図２で示すように板面に“へ”の　字状に屈曲した異形スリット１９ａ，下方に突き出したストッパアーム１９ｂ，および後端に穿孔した枢軸穴１９ｃが形成されており、図１で示すように前記枢軸穴１９ｃに枢軸２０を通して開閉機構８の組立枠（サイドプレート）に揺動自在に組付け、この位置で前記異形スリット１９ａを開閉レバー１１の側面に設けた凸部（ピン）１１ａに嵌め合わせ、下方に突き出たスリットアーム１９ｂをトグルリンク機構１５のリンク軸１４と向き合うようにその背後に対峙させて配置している。
【００１７】
上記の構成で、図３に示す回路しゃ断器の投入状態（ハンドルをＯＮ位置に移動）では、ハンドル９に連結した開閉レバー１１の凸部１１ａがロック板１９の異形スリット１９ａの左側端に移動し、ロック板１９は枢軸２０を中心に反時計方向に回動してストッパアーム１９ｂがトグルリンク機構１５のリンク軸１４の背後に対峙する。なお、図３は固定接触子４と可動接触子５の主回路接点が溶着してないものとする。
【００１８】
また、図３のＯＮ状態からハンドル９を図４に示すＯＦＦ位置に移動操作すると、図５で述べたようにトグルリンク機構１５の上リンク１２と下リンク１３とが“逆くの字”に折れ、操作スプリング１７のばね付勢により可動接触子５が開極するとともに、トグルリンク機構１９のリンク軸１４が図３の位置から右方向移動してロック板１９のストッパアーム１９ｂから離れる。これにより、ロック板１９はリンク軸１４との干渉なしに自由に揺動可能となり、開閉レバー１１はロック板１９の拘束を受けることなく、凸部１１ａが異形スリット１９ａの溝に沿って右側に移り、ハンドル９はＯＦＦ位置に移動してこの位置に停止する。
【００１９】
一方、回路しゃ断器の通電中に流れる異常電流が原因で主回路接点が万一溶着した状態で、ハンドル９をＯＦＦ位置に移動操作しようとすると、次記のようにアイソレーション機能が働いてハンドル９がＯＦＦ位置に移動できなくなる。
この動作を図１で説明すると、主回路接点が溶着した状態では可動接触子５が閉極位置から開かないので、可動接触子５に下リンク１３を連結したトグルリンク機構１５は図示のように伸びたままで、リンク軸１４も図示位置に止まっている。また、ロック板１９は、ストッパアーム１９ｂがリンク軸１４に当たってその位置に拘束されるため枢軸２０の回りで自由に回動できない。このために、ハンドル９をＯＮ位置からＯＦＦ位置に向けて移動しようとすると、その移動途上で開閉レバー１１の凸部１１ａがロック板１９の異形スリット１９ａの経路途中でスリットの傾斜面に突き当たってそれ以上の移動が規制される。その結果、ハンドル９は図示のハンドルロックの位置で停止して、ＯＦＦ位置への移動が阻止される。
【００２０】
これにより、接点溶着状態でのハンドルＯＦＦ操作，回路しゃ断器の断路誤認，および断路誤認による不測な感電事故を防止できる。しかも、アイソレーション機能を付加するロック部材として、独立部品になるロック板１９を介して開閉レバー１１とトグルリンク機構１５との間をインターロックするように構成したので、先記した特許文献１の構成と比べて構造上の制約が少なくて設計の自由度も増すほか、既存の回路しゃ断器の開閉機構にロック部材を追加するだけでもよいなど、製品の多少の組立誤差などにも影響を受けることなく安定した動作，機能を確保できる。
【００２１】
【発明の効果】
以上述べたように、本発明によれば、開閉機構が、ハンドルに連結した開閉レバーと、上リンクと下リンクを組合せて可動接触子に連結したトグルリンク機構と、過電流に応動してトグルリンク機構を作動させる引外し機構と、および開閉レバーとトグルリンク機構との間に架け渡した操作スプリングとの組立体からなる回路しゃ断器において、
主回路接点が溶着した状態でハンドルがＯＦＦ位置へ移動するのを阻止する手段として、前記トグルリンク機構と開閉レバーとの間をインターロックし、トグルリンク機構の動作位置に対応して開閉レバーの移動範囲を規制するロック部材を開閉機構に組付けるものとし、そのロック部材を、板面に開閉レバーの移動範囲を規制する異形スリット，およびストッパアームを形成したロック板とし、該ロック板の後端を開閉機構の組立枠に枢支した上で、前記の異形スリットを開閉レバーの凸部に嵌合し、さらにストッパアームをトグルリンク機構の上リンクと下リンクを連結するリンク軸の背後に対峙させて配置したことにより、
接点溶着状態でのハンドルＯＦＦ操作，回路しゃ断器の断路誤認，および断路誤認による不測な感電事故を防止できる。しかも、アイソレーション機能を付加するロック部材として、独立部品になるロック板を介して開閉レバーとトグルリンク機構との間をインターロックするように構成したことにより、構造上の制約が少なくて設計の自由度も増すほか、製品の多少の組立誤差などにも影響を受けることなく安定したアイソレーションの動作，機能を確保できる。
【図面の簡単な説明】
【図１】本発明の実施例に係る回路しゃ断器の開閉機構の構造図で、接点溶着時にハンドルのＯＦＦ位置への移動を阻止した状態を表す図
【図２】図１におけるロック板の形状図
【図３】回路しゃ断器の投入時における実施例の開閉機構の動作状態を表す図
【図４】回路しゃ断器の断路時における実施例の開閉機構の動作状態を表す図
【図５】本発明の実施対象となる配線用しゃ断器の基本構成図
【符号の説明】
４　　固定接触子
５　　可動接触子
８　　開閉機構
９　　ハンドル
１０　　過電流引外し装置
１１　　開閉レバー
１１ａ　凸部
１２　　上リンク
１３　　下リンク
１４　　リンク軸
１５　　トグルリンク機構
１６　　引外し機構
１７　　操作スプリング
１８　　開閉機構の組立枠
１９　　ロック板
１９ａ　異形スリット
１９ｂ　ストッパアーム
２０　　枢軸
【図１】
2004119183.tif 000003
【図２】
2004119183.tif 000004
【図３】
2004119183.tif 000005
【図４】
2004119183.tif 000006
【図５】
2004119183.tif 000007